(57)【特許請求の範囲】
【請求項１】
装着時に輪を形成することができ、その輪の大きさを装着時に自由に調節しうる装身具であって、
通孔を有する多数個の珠玉と、
これら珠玉の通孔内に挿通され、珠玉を一列に綴る糸と、
少なくともこの糸の一端側の所定区間において前記珠玉同士の間の前記糸にそれぞれ装着された弾性部材からなるスペーサと、
このスペーサの外径寸法よりも小さな間隙の開口端を有し、この開口端の反対側の最奥部に前記スペーサの外周に合致する曲線で構成されたスペーサ嵌入部を有するフックと、
このフックの基端部側に設けられ、該フックを前記糸の他端に回動自在に連結する連結手段と、
前記フックの基端部の背後に位置するよう取り付けられ、該フックが前記所定区間における任意の珠玉間に挿入されるとともに該珠玉間のスペーサと係合された際に該係合状態を隠蔽する装飾体と、
を備えた装身具。
【請求項２】
請求項１において、前記弾性部材はシリコン樹脂である装身具。
【請求項３】
請求項１又は２において、前記珠玉は真珠である装身具。
【発明の詳細な説明】
【技術分野】
【０００１】
この発明は、装身具に関する。さらに詳しくは、例えばネックレスやブレスレットといった真珠、珊瑚、翡翠、ダイヤモンド、エメラルド等の珠玉を多数個連ねた形態のものであって、装着時に輪の大きさを自由に調節できる装身具に関する。
【背景技術】
【０００２】
装身具の中で、例えば真珠のネックレスについてみると、既製品の真珠のネックレスの長さには、約３５ｃｍのチョーカー、約４０〜４３ｃｍのプリンセス、約５３ｃｍのマチネ、及び７１ｃｍのオペラといった４種類がある。これら４種類のネックレスのうち、長さの一番短いチョーカーが最も首もとに沿い、プリンセス、マチネ、オペラの順に首からの垂れ下がり度合いが大きくなる。この垂れ下がり度合いは、当然に装着者の体格とその日の服装とに左右される。そこで、装着者は自分の体格に相応しく且つネックレス装着時の衣装に適した長さのネックレスを選択することになる。しかし、真珠のネックレスは一般に高価であるため、上記したすべての種類のネックレスは揃えにくい。このため上記選択を自由に行えないのが現実である。このような現実は、ネックレスの輪の大きさを自由に調節できれば打破できる。ところが、一般に、ネックレスは両端に留め金が設けられており、これら留め金同士を係止することで人体に装着されるように構成されているため、輪の大きさの調節はできない。
【０００３】
このような点を解決するものとして、これまでに輪の大きさを自由に調節できるネックレスが種々提案されている。例えば、日本国昭和６０年特許出願公開第２０７６０６号公報（特許文献１）、日本国昭和６０年特許出願公開第２０７６０７号公報（特許文献２）、日本国昭和４８年実用新案出願公告第４１６００号公報（特許文献３）には、ネックレスの一端にネックレスの球体を挟むことのできる止め具を設け、この止め具でネックレスの他端部における任意の球体を挟み、これによって輪の大きさを自由に調節できるようにしたネックレスが開示されている。また、例えば、日本国実用新案登録第３０４１０２０号公報（特許文献４）、日本国実用新案登録第３０６００３５号公報（特許文献５）には、多数個の球体を綴っている糸を掴むことのできる止め具をネックレスの一端に設け、この止め具でネックレスの他端部の任意の位置で糸を掴み、これによって輪の大きさを自由に調節できるようにしたネックレスが開示されている。さらに、日本国昭和５２年実用新案出願公開第１２４８９４号公報（特許文献６）には、上記した２種類の方式を両方備えたネックレスが開示されている。
【特許文献１】
昭和６０年特許出願公開第２０７６０６号公報
【特許文献２】
昭和６０年特許出願公開第２０７６０７号公報
【特許文献３】
昭和４８年実用新案出願公告第４１６００号公報
【特許文献４】
実用新案登録第３０４１０２０号公報
【特許文献５】
実用新案登録第３０６００３５号公報
【特許文献６】
昭和５２年実用新案出願公開第１２４８９４号公報
【発明の開示】
【発明が解決しようとする課題】
【０００４】
しかしながら、上記従来のネックレスにあっては次のような問題があった。ネックレスの一端に設けた止め具で、ネックレスの他端部における任意の球体を挟むようにしたものにあっては、止め具によって球体に傷がつき易く、ネックレスとしての価値が損なわれてしまうといった問題があった。特に真珠のネックレスにあっては傷の発生は致命的な問題であった。
【０００５】
ネックレスの一端に設けた止め具で、ネックレスの他端部の任意の位置で糸を掴むようにしたものにあっては、装着、取り外しの度に糸が止め具で傷つけられるため、使用を重ねていくうちに糸が切断してしまうといった問題があった。特に真珠のネックレスの場合は、通常、糸に絹糸等が使用されているため、糸の切断が起こり易いといった問題があった。高価なネックレスほど高い耐久性が要求されるだけに、糸の切断は大きな問題であった。
【０００６】
上記した２種類の方式を両方備えたネックレスにあっては、上記した各問題を両方抱えることになる。
【０００７】
さらに、上記したすべてのネックレスは、止め具の構成が極めて複雑であるため、その分止め具のコストが嵩むばかりでなく、装着及び取り外し時の操作が煩雑であるといった問題があった。特に、装着及び取り外しの各操作は装着者からは非常に見ずらくなる首もとで行われるため、操作の煩雑さはネックレスにとって極めて好ましくない。さらに、高齢者や身体障害者にとってはなおさら装着及び取り外しが困難であるといった問題があった。
【０００８】
また、上記いずれのネックレスにあっても、装着時に止め具が目立つ構造であるため、輪の大きさが調節されていることを外部に印象づけることとなり、全体のデザインが損なわれるといった問題があった。
【０００９】
この発明は、上記従来の問題点を解決すべく創案されたものであり、その目的は、自由に輪の大きさを調整することができると同時に止め具によって珠玉が傷つくことのない装身具を提供することにある。
【００１０】
この発明の他の目的は、装着、取り外しの際に糸が止め具で傷つけられることがなく、長期にわたって糸の切断のおそれがない耐久性に富んだ装身具を提供することにある。
【００１１】
この発明のさらに他の目的は、装着及び取り外しの各操作が極めて容易で、高齢者や身体障害者でも容易に装着及び取り外すことのできる装身具を提供することにある。
【００１２】
この発明のさらに他の目的は、装着時において輪のつなぎ目にフックが一切露出せず、輪の大きさが調節されていることが外部に感知されにくい装身具を提供することにある。
【課題を解決するための手段】
【００１３】
この発明に係る装身具は、装着時に輪を形成することができ、その輪の大きさを装着時に自由に調節しうる。この装身具は、通孔を有する多数個の珠玉と、これら珠玉の通孔内に挿通され、珠玉を一列に綴る糸と、少なくともこの糸の一端側の所定区間において前記珠玉同士の間の前記糸にそれぞれ装着された弾性部材からなるスペーサと、このスペーサの外径寸法よりも小さな間隙の開口端を有し、この開口端の反対側の最奥部に前記スペーサの外周に合致する曲線で構成されたスペーサ嵌入部を有するフックと、このフックの基端部側に設けられ、該フックを前記糸の他端に回動自在に連結する連結手段と、前記フックの基端部の背後に位置するよう取り付けられ、該フックが前記所定区間における任意の珠玉間に挿入されるとともに該珠玉間のスペーサと係合された際に該係合状態を隠蔽する装飾体と、を備えたものである。
【００１４】
フックはその構成が上記したように単純であって、且つ、連結手段によって糸の他端に回動自在に連結されているから、装着時、このフックを摘んで他端における任意の珠玉間にフックを嵌め入れるだけで、所望の大きさの輪を構成することができる。輪が構成されたとき、フックは、珠玉間においてスペーサとのみ係合し、珠玉を挟んだり糸に接触したりしないため、フックによって珠玉及び糸が傷つけられることがない。したがって、長期にわたって珠玉の輝きが損なわれずまた同時に糸の切断のおそれがないため、耐久性に優れる。フックにはその基端部の背後に装飾体が取り付けられており、輪が構成されたときフックとスペーサとの係合状態が装飾体で隠蔽されるから、輪の連結部分が目立たず、輪の大きさが調整されていることが外部に感知されにくい。フックの最奥部に弾性部材からなるスペーサが嵌入するので、フックが不測に外れたりせず、落として紛失するおそれがない。取り外すときは、弾性部材からなるスペーサが変形するので容易にフックをスペーサから外すことができ、取り外し操作も容易である。
【００１５】
以下、この発明の実施の形態について、図面を参照して説明する。なお、この実施の形態では、この発明を、真珠のネックレスに適用した場合について説明する。
【００１６】
図１は真珠のネックレス１の一例を示し、このネックレスは、図２に示すように、装着時に輪を形成することができ、その輪の大きさを装着時に自由に調節しうる。装着時、輪の連結部分は、胸側にもってきても、あるいは図７に示すように、背中側にもってきてもよく、装着者の好みにより自由に決定される。
【００１７】
このネックレス１は、多数個の真珠２と、糸３と、複数個のスペーサ４と、フック５と、連結手段６と、装飾体７とを備えている。
【００１８】
前記真珠２は、従来の真珠のネックレスと同様、糸挿通用の通孔を有している。真珠２の個数はネックレス１の全長及び真珠２自体の大きさに応じて適宜決定すればよい。
【００１９】
前記糸３は、上記した多数個の真珠２を一列に綴るためのものである。その材質は従来の真珠のネックレスと同様、絹であるが、他の繊維や金属線でもよい。
【００２０】
前記スペーサ４は、前記フック５を受けるためのものである。このスペーサ４は、少なくとも上記糸３の一端側の所定区間において前記真珠２同士の間の糸３にそれぞれ装着されていればよい。本例では図に詳細に示していないが、全ての真珠２同士の間に配されている。このように全ての真珠２同士の間にスペーサ４を配した場合は、真珠２同士の間に余計な隙間ができないため、糸３が露出せず、見苦しくなるおそれがない。なお、上記所定区間とは、装着時、ネックレス１上のフック５を実際に係止しうる範囲をいう。具体的には、ネックレス１の全長と、一般的な人の首の周長との差に相当する寸法を、糸３の一端から採った範囲である。このスペーサ４は、弾性部材からなり、図５に示すように、リング状に形成されている。その内径は糸３の外径よりわずかに大きい程度とされ、糸３から大きく振れないように図られている。また外径は、スペーサ４の存在が目立たない程度の大きさとされる。
【００２１】
前記フック５は、図２、図４乃至図７に示すように、ネックレス１の上記所定区間内の任意位置において真珠２間に係止するためのものである。このフック５は、図３及び図５に示すように、前記スペーサ４の外径寸法よりも小さな間隙の開口端５１を有し、この開口端５１の反対側の最奥部にスペーサ４の外周に合致する曲線で構成されたスペーサ嵌入部５２を有している。このようになるフック５は、その厚みが、真珠２間に無理なく挿入し得る厚みとされるとともに、表面が滑らかな面とされている。これによって、真珠２がフック５で傷つけられるのが防止される。
【００２２】
前記連結手段６は、上記フック５を前記糸３の他端に回動自在に連結するためのものである。この実施形態では、連結手段６は、図３乃至図５に示すように、フック５の基端部に形成された掛止孔６１と、糸３の他端に取り付けられた終端リング６２と、これら掛止孔６１と終端リング６２とを連結する連結環６３とから構成されている。これによって、フック５は糸３の終端において自由自在に回動することができる。
【００２３】
前記装飾体７は、フック５が前記所定区間における任意の真珠２間に挿入されるとともに該真珠２間のスペーサと係合された際に、図２、図６及び図７に示すように、該係合状態を隠蔽するためのものである。この装飾体７は、上記フック５の基端部の背後に位置するよう該フック５に取り付けられている。この実施形態では、装飾体７はフック５と一体的に形成されており、花を象ったブローチ状に成形されている。図中の符号７１は、装飾体７の表面に取り付けられた単体の真珠である。装飾体７の形状はこの例に限るものではなく、上記係合状態を隠蔽しえる大きさであれば任意である。
【００２４】
なお、図１、図２及び図７において、符号８は、糸３の一端に複数個の連結リング９を介して連結された飾り用の真珠である。この真珠８は、装着時において垂れ下がることになるネックレス１の他端の始末を向上させるためのものである。このような真珠８に代えて、他の宝石を該一端に連結してもよい。
【００２５】
以上のようになる真珠のネックレス１を使用するに際しては、ネックレス１の両端を持ってネックレス１の中程を首に前又は後ろからあてがいつつ形成しようとする輪の大きさを推し量りながら、装飾体７を摘んでフック５をネックレス１の一端側における真珠２間に挿入し、フック５と該間のスペーサ４とを係合させる。これによってスペーサ４はフック５の最奥部のスペーサ嵌入部５２内に嵌まり込み、両者はしっかりと連結される。このあと、好みに応じて連結部を、例えば図７に示すように、背中側に位置させるか或いは胸側にもっていく。ネックレス１を外す時は、装飾体７を摘んでフック５を装着時とは逆方向に引っ張る。これによってフック５のスペーサ嵌入部５２内に嵌入していたスペーサ４が弾性変形し、フック５から外れ、フック５とスペーサ４との係合状態が解除される。
【００２６】
以上、この発明の実施形態について、真珠のネックレスを例にとって説明したが、この発明は、他の種類の宝石からなるネックレスにも、またネックレス以外にブレスレットにも適用しうるものである。
【産業上の利用可能性】
【００２７】
以上説明したように、この発明は、真珠をはじめとする各種のネックレスや、ブレスレットに適している。
【図面の簡単な説明】
【００２８】
【図１】この発明に係る装身具の一実施形態を示す正面図である。
【図２】図１に示す装身具において輪を形成した状態を示す正面図である。
【図３】フック及び装飾体を示す部分拡大斜視図である。
【図４】輪を形成した際の輪の連結部分を裏側から見た部分拡大斜視図である。
【図５】図４おけるＶ−Ｖ線矢視図である。
【図６】輪を形成した際の輪の連結部分を正面から見た部分拡大斜視図である。
【図７】装着の仕方の一例を示す図である。
【符号の説明】
【００２９】
１      ネックレス
２      真珠
３      糸
４      スペーサ
５      フック
５１    開口端
５２    スペーサ嵌入部
６      連結手段
７      装飾体
【図１】
0003939647.tif 000002
【図２】
0003939647.tif 000003
【図３】
0003939647.tif 000004
【図４】
0003939647.tif 000005
【図５】
0003939647.tif 000006
【図６】
0003939647.tif 000007
【図７】
0003939647.tif 000008